(57)【要約】【課題】高い信頼性と高効率化を両立したロータリー式圧縮機の提供。【解決手段】シャフト４０を構成する部品を、上部シャフト６０Ａと、偏芯部４０Ａ及び下軸部４０Ｂを有する下部シャフト６０Ｂとに分離し、これら両シャフトを一体に結合してシャフト４０を構成してある。これにより、まず下部シャフト６０Ｂにピストン５０を挿入し、その後、上部シャフト６０Ａを下部シャフト６０Ｂに結合すれば、ピストン５０が挿入されたシャフト４０を構成することが可能となる。よって、下部シャフト６０Ｂの下軸部の径を小さくする必要がなくなり、信頼性を悪化させずに高効率化を実現することが可能となる。【選択図】図３
2019027382.tif 000002
【特許請求の範囲】
【請求項１】
密閉容器内に電動機部と圧縮機構部を備え、前記電動機部と前記圧縮機構部とはシャフトによって連結され、前記圧縮機構部は、シリンダと、前記シリンダ内に配置されるピストンを有し、かつ、前記シャフトは、上部シャフトと、偏芯部及び下軸部を有する下部シャフトとに分離されていて、前記上部シャフトに下部シャフトを一体に結合して構成されているロータリー式圧縮機。
【請求項２】
上部シャフトと下部シャフトの結合部のいずれか一方に突起もしくは雄ねじ軸を設けるとともに、他方に凹部もしくは雌ねじ部を設け、前記突起もしくは雄ねじ軸を、凹部もしくは雌ねじ部に圧入もしくは螺合して、上下のシャフトを一体に結合した請求項１に記載のロータリー式圧縮機。
【発明の詳細な説明】
【技術分野】
【０００１】
本発明は、空気調和機の室外機や冷凍機等に用いられるロータリー式圧縮機に関するものである。
【背景技術】
【０００２】
一般に、空気調和機の室外機や冷凍機等に用いられるロータリー式圧縮機は、密閉容器内に電動機部と圧縮機構部とを備え、電動機部と圧縮機構部とをシャフトによって連結し、シャフトの偏芯部に取り付けられたピストンを、シャフトの回転によって公転運動させている。
【０００３】
このようなロータリー式圧縮機は、高効率化するために、ピストンと接触するシャフトの偏芯部の径を小径化し、シャフトとピストンの間で発生する摺動摩擦を低減する手法が用いられている（例えば、特許文献１参照）。
【０００４】
図４は、上記特許文献１に記載されているようなロータリー式圧縮機のシャフトとピストンの組み合わせ状態を示し、ピストン５０を相通させるシャフト４０は当該ピストン５０と接触する偏芯部４０Ａの径を小径化し、シャフト４０とピストン５０の間で発生する摺動摩擦を低減している。
【先行技術文献】
【特許文献】
【０００５】
【特許文献１】特開２０１２−１３０３４号公報
【発明の概要】
【発明が解決しようとする課題】
【０００６】
しかしながら、上記従来の構成のシャフト４０は、シャフト４０の偏芯部４０Ａにピストン５０を挿入するためには、シャフト４０の中心軸から偏芯部４０Ａの外側までの距離Ｌ１と、シャフト４０の中心軸からシャフト４０の下軸部４０Ｂの外側までの距離Ｌ２の関係は、Ｌ１＞Ｌ２である必要がある。
【０００７】
そのため、このＬ１＞Ｌ２の関係を保持しながらシャフト４０の偏芯部４０Ａの径を小さくする場合、同時にピストン５０が通過するシャフト４０の下軸部４０Ｂの径も小さくせざるを得なかった。
【０００８】
しかし、上記シャフト４０の下軸部４０Ｂの径を小さくし過ぎると、シャフト４０の下軸部４０Ｂの面圧が高くなり、シャフト４０の信頼性が満足できなくなるという問題を抱えていた。
【０００９】
本発明は、このような点に鑑みてなしたもので、信頼性を損なうことなく高効率化を実現したロータリー式圧縮機の提供を目的としたものである。
【課題を解決するための手段】
【００１０】
本発明は、上記目的を達成するため、密閉容器内に電動機部と圧縮機構部を備え、前記電動機部と前記圧縮機構部とはシャフトによって連結され、前記圧縮機構部は、シリンダと、前記シリンダ内に配置されるピストンを有し、かつ、前記シャフトは、上部シャフトと、偏芯部及び下軸部を有する下部シャフトとに分離されていて、前記上部シャフトに下部シャフトを一体に結合した構成としてある。
【００１１】
これにより、まず下部シャフトにピストンを挿入し、その後、上部シャフトを下部シャフトに結合すれば、ピストンが挿入されたシャフトを構成することが可能となる。
【００１２】
よって、下部シャフトの下軸部の径を小さくする必要がなくなり、信頼性を悪化させずに高効率化を実現することが可能となる。
【発明の効果】
【００１３】
本発明によれば、信頼性に重要なシャフトの下軸部の径を小さくすることなく、シャフトの偏芯部の径を目的の寸法に設定することが可能となり、高い信頼性と高効率化を両立した圧縮機を提供することが可能となる。
【図面の簡単な説明】
【００１４】
【図１】本発明の実施の形態１におけるロータリー式圧縮機の断面図
【図２】同ロータリー式圧縮機のシャフトとピストンの組合せ図
【図３】同ロータリー式圧縮機のシャフトの部品展開図
【図４】従来のロータリー式圧縮機のシャフトとピストンの組合せ図
【発明を実施するための形態】
【００１５】
第１の発明は、密閉容器内に電動機部と圧縮機構部を備え、前記電動機部と前記圧縮機構部とはシャフトによって連結され、前記圧縮機構部は、シリンダと、前記シリンダ内に配置されるピストンを有し、かつ、前記シャフトは、上部シャフトと、偏芯部及び下軸部を有する下部シャフトとに分離されていて、前記上部シャフトに下部シャフトを一体に結合した構成としてある。
【００１６】
これにより、このロータリー式圧縮機は、まず下部シャフトにピストンを挿入し、その後、上部シャフトを下部シャフトに結合すれば、ピストンが挿入されたシャフトを構成することが可能となる。
【００１７】
よって、下部シャフトの下軸の径を小さくする必要がなくなり、信頼性を悪化させずに高効率化を実現することが可能となる。
【００１８】
第２の発明は、第１の発明において、上部シャフトと下部シャフトの結合部のいずれか一方に突起もしくは雄ねじ軸を設けるとともに、他方に凹部もしくは雌ねじ部を設け、前記突起もしくは雄ねじ軸を、凹部もしくは雌ねじ部に圧入もしくは螺合して、上下のシャフトを一体に結合した構成としてある。
【００１９】
これにより、上部シャフトと下部シャフトの結合一体化が容易に行え、生産性を向上させることができる。
【００２０】
以下、本発明の一実施例について図面を参照しながら説明する。なお、この実施の形態によって本発明が限定されるものではない。また、本実施の形態において、従来技術と同じ構成要素については同じ符号を用いて説明する。
【００２１】
（実施の形態１）
図１は本発明の実施の形態１におけるロータリー式圧縮機の断面図である。
【００２２】
本実施の形態のロータリー式圧縮機は、密閉容器１０内に電動機部２０と圧縮機構部３０とを備えている。電動機部２０と圧縮機構部３０とはシャフト４０によって連結されている。
【００２３】
シャフト４０の偏芯部４０Ａにはピストン５０が挿入されており、ピストン５０はシャフト４０の回転によって公転運動をさせている。
【００２４】
図２は、ロータリー式圧縮機のシャフトとピストンの組合せ図、図３は、同シャフトの部品展開図である。
【００２５】
本実施の形態のシャフト４０は、シャフト４０を構成する部品が、上部シャフト６０Ａと、偏芯部４０Ａ及び下軸部４０Ｂを有する下部シャフト６０Ｂに分離され、上部シャフト６０Ａの下部には突起６１Ａ、下部シャフト６０Ｂの上部には凹部６１Ｂ設けられている。そして、上記突起６１Ａを凹部６１Ｂに圧入して両シャフトを一体に結合しシャフト４０としてある。
【００２６】
上記のように構成したこのシャフト４０は、下部シャフト６０Ｂにピストン５０を挿入した後、上部シャフト６０Ａの突起６１Ａを下部シャフト６０Ｂの凹部６１Ｂに圧入して一体化することで、ピストン５０が挿入されたシャフト４０を構成することが可能となる。  したがって、シャフト４０の下軸部４０Ｂの径を小さくする必要がなくなり、信頼性を悪化させずに高効率化を実現することが可能となる。
【００２７】
なお、上記実施の形態では、上部シャフト６０Ａと下部シャフト６０Ｂの結合一体化は突起６１Ａと凹部６１Ｂの圧入で説明したが、雄ねじ軸と雌ねじ部としてこれらの螺合により結合するようにしてもよいものである。
【００２８】
また、圧縮機は１ピストン方式のロータリー式圧縮機で説明したが、２ピストン方式のロータリー式圧縮機でも適用可能である。
【産業上の利用可能性】
【００２９】
本発明は、上記説明から明らかなように、シャフトの下軸部の径を小さくすることなく、シャフトの偏芯部の径を目的の寸法に設定することが可能となり、高い信頼性と高効率化を両立した圧縮機を提供することができる。よって、空気調和機や冷凍機器等のロータリー式圧縮機に適用可能である。
【００３０】
具体的には、このロータリー式圧縮機は、ルームエアコン、パッケージエアコン、家庭用冷蔵庫、業務用冷蔵庫、ヒートポンプ式給湯機、ヒートポンプ式温水暖房機、冷凍機に搭載できる。そうすることで、より省エネで環境に優しい快適な製品を実現することが可能となる。
【符号の説明】
【００３１】
１０  密閉容器
２０  電動機部
３０  圧縮機構部
４０  シャフト
４０Ａ  偏芯部
４０Ｂ  下軸部
５０  ピストン
６０Ａ  上部シャフト
６０Ｂ  下部シャフト
６１Ａ  突起
６１Ｂ  凹部
【図１】
2019027382.tif 000003
【図２】
2019027382.tif 000004
【図３】
2019027382.tif 000005
【図４】
2019027382.tif 000006